(57)【要約】【課題】  房バナナをはじめこれに類する不定形果実類を、その形態を損うことなく包装することができ、包装後擦れ合っても果実類に傷を付けることがなく、かつ包装後も高級感を持ち、陳列効果を高めることのできる不定形果実類包装袋を提供することを課題とする。【解決手段】  袋の開口部１ａから底部１ｂに至る方向の一半部を透明性樹脂フィルム２で構成するとともに他半部を不織布３で構成し、この不織布部分をその長手方向にそって内方へ折り込んでガゼット部４を形成し、前記樹脂フィルムおよび不織布のガゼット部の下端を共にシールして袋の底部１ｂを形成したことにある。【選択図】  図１
2005219764.tif 000002
【特許請求の範囲】
【請求項１】
一端が開口された袋であって、袋の開口部から底部に至る方向の一半部を透明性樹脂フィルムで構成するとともに他半部を不織布で構成し、この不織布部分をその長手方向にそって内方へ折り込んでガゼット部を形成し、前記樹脂フィルムおよび不織布のガゼット部の下端を共にシールして袋の底部を形成したことを特徴とする不定形果実類包装袋。
【請求項２】
前記ガゼット部の折り込み幅は、外面となる不織布部分と略同幅とされている請求項１記載の不定形果実類包装袋。
【請求項３】
前記透明性樹脂フィルムがＯＰＰフィルムである請求項１または２記載の不定形果実類包装袋。
【請求項４】
帯状をなす透明性樹脂フィルムの左右両側端縁に左右の不織布の一側端縁をヒートシールし、左右の不織布の他側端縁を外方へ折り立てて左右の折り立て部の基部同士をヒートシールし、左右の不織布をその長手方向に折り込んでガゼット部を形成し、所定の袋長位置で熱溶断して袋底部とされている請求項１〜３のいずれか１項記載の不定形果実類包装袋。
【請求項５】
不定形果実が房バナナであり、房バナナの先端を透明性樹脂フィルムの底部側とし、房バナナの反りの背側を不織布側として挿入したとき不織布のガゼット部が外方へ膨出するとともにガゼット部の底部外端が引き上げられて不織布が房バナナ形態になじむようにフィットして収納されるようになされている請求項１〜４のいずれか１項記載の不定形果実類包装袋。
【発明の詳細な説明】
【技術分野】
【０００１】
本発明は不定形果実類の包装袋に係り、特に房バナナの販売用包装袋として最適な不定形果実類包装袋に関する。
【背景技術】
【０００２】
房バナナを店頭に陳列して販売に供する包装材として、図６にその一例を示すように、ヒートシール性を有するＯＰＰフィルムにより房バナナの形態に即した異形外形状の袋が用いられている。
【０００３】
バナナの店頭小分け販売では、バナナの表皮が完全に黄熟した状態で包装されるが、
エチレンガスによりさらに過熟が進むと肉質が軟化して商品価値が下落することから、発生したエチレンガスを逃すため袋ａに多数の孔ｂがあけられている。
【０００４】
しかるにこのような孔あきの袋では、この孔ｂから虫類が侵入する虞れがあって好ましくない。また従来のフィルム製の袋では、緩衝機能が全く期待できないため、包装後の取り扱い時や陳列時に互に擦れ合ってバナナを傷めやすいという問題点があった。
【０００５】
なお上記問題点を解決する手段を示す文献は見当らない。
【発明の開示】
【発明が解決しようとする課題】
【０００６】
本発明は、房バナナをはじめこれに類する不定形果実、例えば房ブドウ、房プチトマト等をその形態を損うことなくなじませて包装することができ、包装後の通気性を確保しながら虫の侵入がないとともに包装後同士の擦れによっても果実類に傷を付けることがなく、しかも高級感をかもし出して陳列効果を高めることのできる不定形果実類包装袋を提供することにある。
【課題を解決するための手段】
【０００７】
上記課題を解決する手段として本発明は、一端が開口された袋であって、袋の開口部から底部に至る方向の一半部を透明性樹脂フィルムで構成するとともに他半部を不織布で構成し、この不織布部分をその長手方向にそって内方へ折り込んでガゼット部を形成し、前記樹脂フィルムおよび不織布のガゼット部の下端を共にシールして袋の底部を形成したことを特徴としている。
【０００８】
請求項２は、前記不織布のガゼット部の折り込み幅を、外面となる不織布部分と略同幅としたことにある。これによれば、包装される不定形果実の形状に対する順応性を増すうえで好ましい。
【０００９】
請求項３は、前記透明樹脂フィルムをシール性のよいＯＰＰフィルムとしたことにある。
【００１０】
請求項４は、帯状をなす透明性樹脂フィルムの左右両側端縁に左右の不織布の一側端縁をヒートシールし、左右の不織布の他側端縁を外方へ折り立てて左右の折り立て部の基部同士をヒートシールし、左右の不織布をその長手方向に折り込んでガゼット部を形成し、所定の袋長位置で熱溶断して袋底部としたものである。
【００１１】
請求項５は、不定形果実が房バナナであり、房バナナの先端を透明樹脂フィルムの底部側とし、房バナナの反りの背側を不織布側として挿入したとき不織布のガゼット部が外方へ膨出するとともにガゼット部の底部外端が引き上げられて不織布が房バナナ形態になじむようにフィットして収納されるようにしたことにある。
【発明の効果】
【００１２】
本発明によれば、袋の一半部が不織布で構成され、他半部のみが透明性樹脂フィルムで構成されており、かつ不織布部分を袋の上下方向にそって内方へ折り込んでガゼット部とされているので、不定形果実類が房状のバナナであってもその先端を透明性フィルムの底部側として挿入すれば、房バナナの反りの背側が不織布のガゼット部を外方へ膨出させて不定形の房バナナを支障なく受け入れることができると同時に、このガゼット部の膨出により不織布の底部外端側が上方へ引き上げられることにより不織布が房バナナ形態になじむようにフィットし、安定した状態に収納することができる。
【００１３】
特に不織布はガゼット部を有することにより房バナナの大きさや形状によく即して順応し、房単位のバナナであっても包装しやすい包装袋とすることができる。
【００１４】
また不織布は通気性を有するので、袋にエチレンガス排出用の孔を穿設する必要がなく、それ故虫等の侵入の虞れが全くなく、安全性を高めることができる。
【００１５】
さらに不織布部分がバナナの房形状に良くフィットするので、陳列効果が向上し、併せて高級感をかもし出すことができ、陳列時には透明性樹脂フィルムを通じて内部を透視することができるので、購買者の品定めに支障をきたすことがない。
【００１６】
加えて包装後包装したもの同士が擦れ合っても、不織布が緩衝性を有するのでバナナを傷めることが防止される。
【００１７】
上記諸効果は、房バナナ以外の房ブドウ、房プチトマト等の不定形果実類であっても同様に得ることができる。
【００１８】
請求項４のように包装袋を構成すれば、既存の製袋機により製造することが可能であり、安価に提供することができ、それでいて不織布の他側端縁のシール部（折り立て部）は袋の外面側に位置するので、不織布同士をシールしていても不定形果実類にシール部が接触することがなく、果実類に悪影響を与えることがない。
【発明を実施するための最良の形態】
【００１９】
図１は本発明による不定形果実類包装袋１の一実施形態の斜視図を示し、図２は図１のＡ−Ａ略示断面を示している。
【００２０】
上記包装袋１は、一端が開放され、その開口部１ａから他端の底部１ｂに至る方向の一半部が透明性樹脂フィルム２で構成され、同他半部が不織布３で構成されている。
【００２１】
上記不織布３は、包装袋１の一側縁において長手方向にそって内方へ折り込まれることによりガゼット部４とされており、前記透明性樹脂フィルム２からガゼット部４の重ねられた不織布３の下端にかけて共にヒートシール５により固着され、これにより底部１ｂが構成されている。
【００２２】
前記ガゼット部４の折り込み幅Ｌは、外面となる不織布部分と略同幅とされている。また透明性樹脂フィルム２は、ヒートシール性を考慮してＯＰＰフィルムが用いられている。このフィルム２はＯＰＰフィルムに限られるものではなく、他の樹脂フィルムであってもよいが、その透明度は好ましくは無色透明フィルムを採用することが望ましい。しかし場合によっては薄色の着色フィルムであってもよい。
【００２３】
前記包装袋１の構成として、図５（Ａ）〜（Ｄ）にその工程を例示するように、所要幅の帯状の透明性樹脂フィルム２の左右両側端縁に該フィルム２の幅と略同幅の左右の帯状の不織布３、３の各一側端縁をそれぞれヒートシール６、６により接合し（図５（Ａ））、左右の不織布３、３の各他側端縁を外方へ折り立ててこれら折り立て部３ａ、３ａを重ね、その基部同士をヒートシール７により接合して継ぎ（図５（Ｂ））、次いで透明性樹脂フィルム２をその長手方向中央で２つ折り（図５（Ｃ））したのち不織布３、３の前記ヒートシール７部分を内方へ折り込んでガゼット部４を形成し（図５（Ｄ））、所定の袋長の位置で熱溶断して底部１ｂを形成するとともに開口部１ａを形成することにより包装袋１を得る。
【００２４】
上記の構成を採用すれば、既設の製袋機を用いて製袋することが可能であり、特別な専用機械設備を要することなく包装袋１を安価に得ることができる。
【００２５】
図３、４は、前記の包装袋１に不定形果実類として房バナナ８を包装する場合を例示するもので、図３に説明図として示すように房バナナ８の先端８ａを透明性樹脂フィルム２部分の底部１ｂ側とし、房バナナ８の反りの背側８ｂを不織布３側として包装袋１内に挿入する。
【００２６】
すると房バナナ８の背側８ｂの膨らみにより不織布３のガゼット部４が内側から押し広げられて房バナナ８の背側８ｂの形状に倣って拡張し、この拡張時に不織布３側の底部１ｂの外端１ｃが図３にみられるように上方へ引張られるので房バナナ８の背側８ｂの大半に不織布３が無理なくフィットして房バナナ８を包むようになじみ、開口部１ａを止具９で閉じることにより包装を完了する。
【００２７】
このように包装することにより、房バナナ８の背側８ｂとは反対面は透明性樹脂フィルム２内に位置して外部から房バナナ８の色つや等の状況が購買者からよく見え（図４の状態）、品定めに支障のない形態として店頭に陳列することができ、併せて陳列時に高級感をかもし出すことができる。
【００２８】
また不織布３のガゼット部４が前述のように外方へ膨出して房バナナ８の背側８ｂの形態になじむように密接するが、その際に不織布３、３同士のヒートシール７部分の折立て部３ａ、３ａは外面側に位置しているので房バナナ８に接触することがなく、この折り立て部３ａ、３ａにより房バナナ８を傷めることがない。
【００２９】
このように包装したうえで店頭に並べて陳列したとき、包装されたもの同士が擦れ合っても、不織布３の緩衝機能により房バナナ８を傷めることが防止される。
【００３０】
また陳列中にエチレンガスが発生しても、通気性のある不織布３を通じて外部に放出され、房バナナ８の品質を劣化させることがない。
【００３１】
以上、不定形果実類として房バナナ８の場合について示したが、房状の不定形果実類、例えば房ブドウ、房状のプチトマト等であっても同様に包装して販売に供することができる。
【図面の簡単な説明】
【００３２】
【図１】本発明による不定形果実類包装袋の一実施形態を示す斜視図。
【図２】図１のＡ−Ａ略示断面図。
【図３】図１の包装袋に房バナナを挿入する方向を示す説明図。
【図４】同、房バナナを包装した状態を示す斜視図。
【図５】（Ａ）〜（Ｄ）は、図１の包装袋の製造工程例を示す説明図。
【図６】従来の房バナナ包装袋を示す正面図。
【符号の説明】
【００３３】
１  不定形果実類包装袋
１ａ  開口部
１ｂ  底部
２  透明性樹脂フィルム
３  不織布
３ａ  折り立て部
４  ガゼット部
５、６、７  ヒートシール
８  房バナナ
【図１】
2005219764.tif 000003
【図２】
2005219764.tif 000004
【図３】
2005219764.tif 000005
【図４】
2005219764.tif 000006
【図５】
2005219764.tif 000007
【図６】
2005219764.tif 000008